(57)【要約】【課題】非印字時あるいは待機時において、コンデンサーから筐体に流れる電流をなくし、発熱素子を微少電流から保護し、ひいては、サーマルヘッドの寿命を延ばす。【解決手段】電源回路１９は、外部電源から供給された電力を蓄え、複数の発熱素子Ｒ１〜Ｒ３８４に駆動電力として供給する電力保持用コンデンサー２５と、全ての発熱素子Ｒ１〜Ｒ３８４に駆動電力を供給しない場合に電力保持用コンデンサー２５を外部電源から遮断する遮断回路ＣＯと、遮断時に電力保持用コンデンサー２５に蓄えた電力を所定の放電経路を介して放電するための放電回路ＤＣと、を備える。【選択図】図２
2011005751.tif 000002
【特許請求の範囲】
【請求項１】
複数の発熱素子を有するサーマルヘッドに電力を供給するサーマルヘッド用電源回路において、
外部電源から供給された電力を蓄え、前記発熱素子に駆動電力として供給する蓄電素子と、
前記発熱素子を駆動しない場合に、前記外部電源から前記蓄電素子への電力供給を遮断する遮断回路と、
前記遮断時に前記蓄電素子に蓄えた電力を所定の放電経路を介して放電するための放電回路と、
を備えたことを特徴とするサーマルヘッド用電源回路。
【請求項２】
請求項１記載のサーマルヘッド用電源回路において、
前記所定の放電経路は、前記蓄電素子と並列に形成されることを特徴とするサーマルヘッド用電源回路。
【請求項３】
請求項１または請求項２記載のサーマルヘッド用電源回路において、
前記遮断回路および前記放電回路は、前記発熱素子への電源供給を制御する共通の電源制御信号に基づいて動作することを特徴とするサーマルヘッド用電源回路。
【請求項４】
請求項１ないし３のいずれか１項に記載のサーマルヘッド用電源回路と、
前記サーマルヘッドに対向する位置にプラテンローラを備え、
前記サーマルヘッドと前記プラテンローラの間に紙を挟持し搬送しながら印刷を行うことを特徴とする印刷装置。
【請求項５】
請求項４記載の印刷装置において、
タイマーと制御部を備え、
前記タイマーにより計測した所定時間、前記サーマルヘッドの発熱素子を駆動しなかった場合に、前記制御部は、前記遮断回路が前記外部電源から前記蓄電素子への電力供給を遮断し、前記放電回路が前記蓄電素子に蓄えた電力を所定の放電経路を介して放電するための制御を行うことを特徴とする印刷装置。
【発明の詳細な説明】
【技術分野】
【０００１】
本発明は、サーマルヘッド用電源回路およびサーマルヘッド用電源回路を備えた印刷装置に関する。
【背景技術】
【０００２】
従来、サーマルヘッドを有する印刷装置においては、サーマルヘッドの発熱素子（抵抗素子）に駆動電力を供給するためにコンデンサーなどの蓄電素子を設け、このコンデンサーに直流電源より電力を供給し、コンデンサーからの放電電流により印字を行うものが知られている（例えば、特許文献１参照）。
一般に厚膜サーマルヘッドは、アルミナセラミックスなどからなるベース基板上にガラスなどで形成された蓄熱層を設けた基板（例えば、グレーズドアルミナセラミックス基板）に、金などによって電極配線された後、発熱素子（抵抗体）を一列状に形成し、さらに銀などからなる材料によって抵抗値の低減を図りつつ共通電極部を形成し、発熱素子およびその周辺に位置する電極に保護膜層を被覆することにより構成する。そして、このように構成されたサーマルヘッドの発熱素子を選択的に発熱させることにより、感熱記録媒体へ伝熱させて記録を行うようになっている。
【先行技術文献】
【特許文献】
【０００３】
【特許文献１】特開平０７−０６８８２０号公報
【発明の概要】
【発明が解決しようとする課題】
【０００４】
ところで、サーマルヘッドの保護層膜は、必ずしも緻密な構造ではなく、特に厚膜サーマルヘッドの保護層膜は、多孔質構造を有するものがある。また、数十ミクロンなどの薄い膜である。
このような多孔質で薄い構造の保護層膜を有するサーマルヘッドを、高温多湿の環境で用いた場合には、非印字時あるいは待機時であっても、サーマルヘッドの発熱素子の一方の電極へ駆動電力が印加されている状態において、電力保持用コンデンサーに蓄えられた電荷が、発熱素子から保護層膜を通り抜けて、水分および水分を含んで導電性を有するようになった記録媒体等を介してグランド側へ微少な電流として流れてしまい、長時間にわたる間に、この微少電流により発熱素子が破損してしまい、ひいては、サーマルヘッドの寿命を短くしてしまうという問題点があった。
そこで、本発明の目的は、非印字時あるいは待機時において、コンデンサーから筐体に流れる電流をなくし、発熱素子を微少電流から保護し、ひいては、サーマルヘッドの寿命を延ばすことが可能なサーマルヘッド用電源回路を提供することにある。
【課題を解決するための手段】
【０００５】
上記課題を解決するために、本発明は、複数の発熱素子を有するサーマルヘッドに電力を供給するサーマルヘッド用電源回路において、外部電源から供給された電力を蓄え、前記発熱素子に駆動電力として供給する蓄電素子と、前記複数の発熱素子を駆動しない場合に、前記外部電源から前記蓄電素子への電力供給を遮断する遮断回路と、前記遮断時に前記蓄電素子に蓄えた電力を所定の放電経路を介して放電するための放電回路と、を備えたことを特徴としている。
【０００６】
上記構成によれば、蓄電素子は、外部電源から供給された電力を蓄え、出力端子を介して複数の発熱素子に駆動電力として供給する。
これと並行して、遮断回路は、全ての発熱素子を駆動しない場合であり駆動電力を供給しない場合に、外部電源から前記蓄電素子への電力供給を遮断し、放電回路は、蓄電素子に蓄えた電力を所定の放電経路を介して放電する。
したがって、全ての発熱素子を駆動しない場合に、発熱素子から保護膜を通過するなど予定していない電流経路を介して蓄電素子の電力が流れることがない。
【０００７】
この場合において、前記所定の放電経路は、前記蓄電素子と並列に形成されているようにしてもよい。
上記構成によれば、放電電流がサーマルヘッドを構成する発熱素子に流れることがなく、確実にサーマルヘッドを保護することができる。
また、前記遮断回路および前記放電回路は、前記発熱素子への電源供給を制御する共通の電源制御信号に基づいて動作するようにしてもよい。
上記構成によれば、共通の電源制御信号で制御を行うことができ、前記遮断回路の遮断および前記放電回路の放電をほぼ同時に行うことができ、また信号配線を簡略化することができる。
また、本発明による印刷装置は、上述のサーマルヘッド用電源回路と、サーマルヘッドと、当該サーマルヘッドに対向する位置にプラテンローラを備え、サーマルヘッドとプラテンローラの間に紙を挟持し搬送しながら印刷を行う。
【０００８】
また、本発明による印刷装置は、タイマーと制御部を備え、前記タイマーにより計測した所定時間、前記サーマルヘッドの発熱素子を駆動しなかった場合に、前記制御部は、前記遮断回路が前記外部電源から前記蓄電素子への電力供給を遮断し、前記放電回路が前記蓄電素子に蓄えた電力を所定の放電経路を介して放電するための制御を行うようにしてもよい。
上記構成によれば、制御部は、タイマーにより計測した所定時間内であれば、蓄電素子に蓄えた電力を放電させないので、当該タイミングにおいてサーマルヘッドを直ちに駆動することができる。また、所定時間を経過した場合には、放電回路は、蓄電素子に蓄えた電力を所定の放電経路を介して放電することとなるので、発熱素子を駆動しない場合に、発熱素子から保護膜を通過するなど予定していない電流経路を介して蓄電素子の電力が流れることがない。
【発明の効果】
【０００９】
本発明によれば、全ての発熱素子を駆動しない場合に、蓄電素子の電力を放電するので、予定していない放電経路（電流経路）を介して蓄電素子の電力が流れることがなく、発熱素子から保護膜を通り抜けて微少電流が流れることもなく、ひいては、サーマルヘッドの寿命を延ばすことが可能となる。
【図面の簡単な説明】
【００１０】
【図１】実施形態のプリンター装置の概要構成ブロック図である。
【図２】サーマルヘッドおよび電源回路の概要構成ブロック図である。
【図３】本実施形態におけるプリンター装置の縦断面の主要部分のみを示す縦断面図である。
【図４】サーマルヘッドの印字部の断面図である。
【発明を実施するための形態】
【００１１】
以下、図面を参照して本発明の実施形態について説明する。
図１は、実施形態のプリンター装置の概要構成ブロック図である。
プリンター装置１０（印刷装置）は、プリンター装置１０を中枢的に制御するＭＰＵ１１と、制御プログラムを含む制御データを予め記憶したＲＯＭ１２と、各種データを一時的に格納するＲＡＭ１３と、ホストコンピューターなどの外部機器との間の通信インターフェース動作を行う通信インターフェース部１４と、を備え、ＭＰＵ１１と、ＲＯＭ１２、ＲＡＭ１３あるいは通信インターフェース部１４とは、バス１５により相互に接続されている。
【００１２】
さらにプリンター装置１０は、ヘッドドライバー１６と、制御信号ライン１７と、サーマルヘッド１８と、サーマルヘッド用電源回路として機能する電源回路１９と、を備えている。ヘッドドライバー１６は、ＭＰＵ１１の制御下で制御信号を出力するものであり、制御信号ライン１７を介して、電源回路１９からヘッド電圧ＶＨの供給を受けているサーマルヘッド１８の駆動制御を行っている。
この場合において、電源回路１９には、外部電源からの外部電圧Ｖが供給されており、ヘッドドライバー１６は、ＭＰＵ１１の制御下で、電源制御信号ＰＣを電源回路１９に入力することで、サーマルヘッド１８へのヘッド電圧ＶＨを駆動電力として供給する際の制御（供給／遮断制御）を行っており、ＭＰＵ１１には、このヘッドドライバー１６の制御を行う際の電源遮断処理待機時間などを計測するためのタイマーＴＭが接続されている。
【００１３】
図２は、サーマルヘッドおよび電源回路の概要構成ブロック図である。
図２において、サーマルヘッド１８の総ドット数は３８４ドット（＝６４×６ドット）であるものとする。
サーマルヘッド１８は、サーマルヘッド１８の温度を検出するサーミスター２０と、ヘッドドライバー１６側からクロック入力端子ＣＬＫを介して入力されるクロック信号に基づいて、ヘッドドライバー１６側からデータ入力端子ＤＩＮを介してシリアル伝送される印字データを３８４ドット分順次記憶するためのシフトレジスタ２１と、ヘッドドライバー１６側からラッチ制御端子／ＬＡＴを介して入力されるラッチ信号に基づいて、シフトレジスタ２１に格納された３８４ドット分の印字データを取り込むラッチレジスタ２２と、を備えている。
【００１４】
さらにサーマルヘッド１８は、各ドットに対応する発熱素子（抵抗素子）Ｒ１〜Ｒ３８４と、各発熱素子を駆動する回路を含むゲート素子（ＮＡＮＤ素子）Ｇ１〜Ｇ３８４を備えており、発熱素子Ｒ１〜Ｒ３８４の一端には、電源回路１９を介して、ヘッド電圧ＶＨが共通に供給される。
ここで、発熱素子Ｒ１〜Ｒ３８４は、発熱素子Ｒ１〜Ｒ６４のグループ、発熱素子Ｒ６５〜Ｒ１２８のグループ、発熱素子Ｒ１２９〜Ｒ１９２のグループ、発熱素子Ｒ１９３〜Ｒ２５６のグループ、発熱素子Ｒ２５７〜Ｒ３２０のグループおよび発熱素子Ｒ３２０〜Ｒ３８４のグループの６個のグループに分けられて制御を行っている。
すなわち、発熱素子Ｒ１〜Ｒ６４のグループに対応するゲート素子Ｇ１〜Ｇ６４の一方の入力端子には、第１ストローブ信号入力端子ＳＴＢ１を介して第１ストローブ信号ＳＢ１が入力され、他方の入力端子にラッチレジスタ２２に格納された１ドット分の印字データ（１ビット）が入力され、第１ストローブ信号ＳＢ１が“Ｈ”レベルであり、かつ、印字データが“Ｈ”（ドット有り）である場合に、対応する発熱素子に電源回路１９から供給されるヘッド電圧ＶＨにより電流が流れて画像を形成することとなる。
【００１５】
同様に、発熱素子Ｒ６５〜Ｒ１２８のグループに対応するゲート素子Ｇ６５〜Ｇ１２８の一方の入力端子には、第２ストローブ信号入力端子ＳＴＢ２を介して第２ストローブ信号ＳＢ２が入力され、他方の入力端子にラッチレジスタ２２に格納された１ドット分の印字データ（１ビット）が入力され、発熱素子Ｒ１２９〜Ｒ１９２のグループに対応するゲート素子Ｇ１２９〜Ｇ１９２の一方の入力端子には、第３ストローブ信号入力端子ＳＴＢ３を介して第３ストローブ信号ＳＢ３が入力され、他方の入力端子にラッチレジスタ２２に格納された１ドット分の印字データ（１ビット）が入力され、発熱素子Ｒ１９３〜Ｒ２５６のグループに対応するゲート素子Ｇ１９３〜Ｇ２５６の一方の入力端子には、第４ストローブ信号入力端子ＳＴＢ４を介して第４ストローブ信号ＳＢ４が入力され、他方の入力端子にラッチレジスタ２２に格納された１ドット分の印字データ（１ビット）が入力され、各グループを構成する発熱素子は、それぞれゲート素子Ｇ１〜Ｇ６４と同様に画像を形成することとなる。
【００１６】
また、発熱素子Ｒ２５７〜Ｒ３２０のグループに対応するゲート素子Ｇ２５７〜Ｇ３２０の一方の入力端子には、第５ストローブ信号入力端子ＳＴＢ５を介して第５ストローブ信号ＳＢ５が入力され、他方の入力端子にラッチレジスタ２２に格納された１ドット分の印字データ（１ビット）が入力され、発熱素子Ｒ３２１〜Ｒ３８４のグループに対応するゲート素子Ｇ３２１〜Ｇ３８４の一方の入力端子には、第６ストローブ信号入力端子ＳＴＢ６を介して第６ストローブ信号ＳＢ６が入力され、他方の入力端子にラッチレジスタ２２に格納された１ドット分の印字データ（１ビット）が入力され、各グループを構成する発熱素子は、それぞれゲート素子Ｇ１〜Ｇ６４と同様に画像を形成することとなる。
【００１７】
電源回路１９は、図２に示すように、外部電圧Ｖが接続される入力端子ＴＩにソース端子Ｓが接続されたＰチャネルＦＥＴ２３を備えており、このＰチャネルＦＥＴ２３のゲート端子ＧとグランドＧＮＤとの間には、ベース端子Ｂに制御端子ＴＣを介して電源制御信号ＰＣが入力されるバイポーラトランジスター２４が介挿されている。
また、ＰチャネルＦＥＴ２３のドレイン端子ＤとグランドＧＮＤとの間には、発熱素子Ｒ１〜Ｒ３８４を駆動するための電力を蓄える電力保持用電解コンデンサー２５が設けられ、発熱素子Ｒ１〜Ｒ３８４に対して、出力端子ＴＯを介して電力を安定に供給している。
【００１８】
この電力保持用電解コンデンサー２５と並列に、放電用抵抗素子２６と、この放電用抵抗素子２６に直列に接続されたバイポーラトランジスター２７と、が接続されている。
この場合において、ＰチャネルＦＥＴ２３およびバイポーラトランジスター２４は、遮断回路ＣＯを構成し、放電用抵抗素子２６、バイポーラトランジスター２７及びインバーター２８は、放電回路ＤＣを構成しており、所定の放電回路を構成する放電用抵抗素子２６とバイポーラトランジスター２７とは、遮断回路ＣＯと出力端子ＴＯとの間に後述するように、所定の放電経路を形成するように設けられている。
上記構成において、“Ｈ”レベルの電源制御信号ＰＣが入力された場合には、バイポーラトランジスター２４は、オン状態となり、ＰチャネルＦＥＴ２３のゲート端子Ｇは“Ｌ”レベルとなり、ＰチャネルＦＥＴ２３がオン状態となって、ヘッド電圧ＶＨがサーマルヘッド１８を構成する各発熱素子Ｒ１〜Ｒ３８４側に供給されることとなる。
このとき、インバーター２８の出力は“Ｌ”レベルとなり、バイポーラトランジスター２７は、オフ状態となり、実効的に放電用抵抗素子２６は、電力保持用電解コンデンサー２５と並列に接続されていない状態となる。
【００１９】
一方、“Ｌ”レベルの電源制御信号ＰＣが入力された場合には、バイポーラトランジスター２４は、オフ状態となり、ＰチャネルＦＥＴ２３のゲート端子Ｇは“Ｈ”レベルとなり、ＰチャネルＦＥＴ２３がオフ状態となって、ヘッド電圧ＶＨのサーマルヘッド１８を構成する各発熱素子Ｒ１〜Ｒ３８４側への供給は遮断されることとなる。
このとき、インバーター２８の出力は“Ｈ”レベルとなり、バイポーラトランジスター２７は、オン状態となり、放電用抵抗素子２６が電力保持用電解コンデンサー２５と並列に接続され、電力保持用電解コンデンサー２５に蓄えられた電荷は、放電用抵抗素子２６の抵抗値に応じた割合で徐々に放電されることとなる。インバーター２８により、ヘッド電圧ＶＨの遮断と、電力保持用電解コンデンサー２５の放電はほぼ同時に行うことができる。
このときの放電用抵抗素子２６の抵抗値としては、バイポーラトランジスター２７のオン抵抗値を加算したとしても、電力保持用電解コンデンサー２５に蓄えられた電力がサーマルヘッド１８の発熱素子（Ｒ１〜Ｒ３８４）のいずれかを介してプラテン３４側に流れる際の実効的な抵抗値よりも低く、かつ、できるだけ高い値とするのが好ましい。
【００２０】
これは、電力保持用電解コンデンサー２５に蓄えられた電力がサーマルヘッド１８の発熱素子（Ｒ１〜Ｒ３８４）のいずれかを介してプラテン３４側に微少電流として流れるのを防止するとともに、放電電流をできる限り小さくして、電力保持用電解コンデンサー２５に電力を保持し、次回の迅速な動作に備えるためである。
バイポーラトランジスター２７のベース端子には、入力端子に電源制御信号ＰＣが入力されるインバーター２８の出力端子が接続されている。
すなわち、放電用抵抗素子２６は、遮断回路ＣＯを構成するＰチャネルＦＥＴ２３がオフ状態である場合にグランドＧＮＤに電気的に接続されて電力保持用電解コンデンサー２５に蓄えた電力をバイポーラトランジスター２７を介してグランドＧＮＤに放電することとなる。
【００２１】
ここで、プリンター装置の構成について説明する。
図３は、本実施形態におけるプリンター装置の縦断面の主要部分のみを示す縦断面図である。
プリンター装置１０内には、感熱紙が巻かれたロール紙３１をセットされるように構成されており、ロール紙３１は、補助送りローラー３２を通り、紙案内３３の搬送経路３３ａを通って、プラテン３４に巻装されてサーマルヘッド１８により発熱素子Ｒ１〜Ｒ３８４が選択的に通電されて発生する熱により印字が行われる。
その後、図示しないカッターによりロール紙３１が切断されて、切断後のロール紙３１が、例えばレシートとして取り出し可能となる。
一方、残りのロール紙３１は、図３に示すような状態となっており、次回の印刷がなされるまで、サーマルヘッド１８と、プラテン３４との間に挟まれた状態となっている。ここで、プラテン３４は、印刷に伴って静電気などが蓄積されないように図示しないフレームを介してグランドＧＮＤに接地されている。
【００２２】
図４は、サーマルヘッドの印字部の断面図である。
図４に示すように、サーマルヘッド１８の印字部１８Ａは、アルミナ（Ａｌ２Ｏ３）基板４１上に断面ドーム状にガラスにより蓄熱層（グレーズ）４２を形成し、さらに酸化ルテニウムなどの抵抗材料により複数の発熱素子を備えた発熱層４３を形成し、さらに金などにより電極（電極層）４４を形成し、上面全体にアルミナあるいは窒化ケイ素（Ｓｉ３Ｎ４）により保護層４５を形成している。
ところで、上述した保護層４５は、良好な使用環境、特に低湿な環境に置かれている場合には、絶縁状態を維持しているが、保護層４５は、多孔質であるため吸湿しやすく、当該プリンター装置１０が高温多湿の環境に置かれている場合などには、保護層４５内に水分が含まれ導電性を有することがある。また、ロール紙３１も水分を含むと導電性を有する。
【００２３】
このような状況で電力保持用電解コンデンサー２５に蓄えられた電荷をそのままにしておくと、保護層４５やロール紙３１が実効的に導体として機能し、電極層４４、発熱層４３および保護層４５を経由してロール紙３１、プラテン３４に微少電流が流れる可能性がある。このように微少電流が流れ続けると、発熱素子が劣化し、破壊に至ることがある。また、このときの発熱により、ロール紙３１が発色してしまい、使用できなくなってしまうことがある。
そこで、本実施形態においては、発熱素子への電源非供給時（非印刷時または待機時）には、電力保持用電解コンデンサー２５に蓄えられた電荷が発熱素子Ｒ１〜Ｒ３８４を経由してグランドＧＮＤ側に流れることのない所定の経路で放電を行うようにしている。
【００２４】
すなわち、ＰチャネルＦＥＴ２３がオフ状態である場合には、電力保持用電解コンデンサー２５に蓄えられた電荷を放電するために、インバーター２８の入力端子に、“Ｌ”レベルの電源制御信号ＰＣが入力され、インバーター２８の出力端子から“Ｈ”レベルの信号が出力される。
これにより、バイポーラトランジスター２７は、オン状態となり、電力保持用電解コンデンサー２５と並列に放電用抵抗素子２６が接続される。
したがって、ＰチャネルＦＥＴ２３がオフ状態である場合には、電力保持用電解コンデンサー２５に蓄えた電力は、所定の放電経路を構成している放電用抵抗素子２６およびバイポーラトランジスター２７を介してグランドＧＮＤに放電されることとなるので、サーマルヘッド１８の電極層４４、発熱層４３、保護層４５、ロール紙３１及びプラテン３４を介した放電経路を経由して、プラテン３４に電気的に接続されたグランドＧＮＤに向かって微少電流が流れることはなく、発熱素子Ｒ１〜Ｒ３８４のうち放電経路を構成したいずれかの発熱素子（Ｒ１〜Ｒ３８４）が微少電流により破壊されることもない。
【００２５】
これらの結果、発熱素子Ｒ１〜Ｒ３８４への電源非供給時（非印刷時または待機時）において、電力保持用電解コンデンサー２５からサーマルヘッド１８およびプラテン３４を介して筐体側に流れる電流がなくなるため、発熱素子Ｒ１〜Ｒ３８４が放電経路となることはないので、発熱素子Ｒ１〜Ｒ３８４を微少電流から保護でき、ひいては、サーマルヘッド１８の寿命を延ばすことが可能となる。
以上の説明においては、電源制御信号ＰＣが“Ｈ”レベルの場合に、サーマルヘッド１８にヘッド電圧ＶＨを駆動電力として供給する構成を採っていたが、“Ｌ”レベルの場合に供給し、遮断回路ＯＣおよび放電回路ＤＣの制御用の論理を反転するように構成することも可能である。
また、遮断回路ＯＣおよび放電回路ＤＣに同一の電源制御信号ＰＣを入力する構成を採っていたが、別々の電源制御信号を入力する構成とすることも可能である。
【００２６】
また、蓄電素子として電解コンデンサーを用いていたが、固体コンデンサー等他の蓄電装置を用いるように構成することも可能である。
以上の説明においては、電源回路１９をサーマルヘッド１８とは別個に設けていたが、サーマルヘッドに組み込むように構成したり、ヘッドドライバー１６に組み込むように構成することも可能である。
また、以上の説明においては、ヘッドドライバー１６が電源制御信号ＰＣを生成し、出力することで、サーマルヘッド１８への電源供給制御を行っていたが、ＭＰＵ１１（制御部）がタイマーＴＭの計測結果に基づいて所定時間、サーマルヘッド１８の発熱素子Ｒ１〜Ｒ３８４への駆動を行わなかったことを判別し、ヘッド電圧ＶＨの遮断と、電力保持用電解コンデンサー２５の放電を行うように、ヘッドドライバー１６を介して電源制御信号ＰＣを出力させるように制御するように構成することも可能である。
【符号の説明】
【００２７】
１０…プリンター装置（印刷装置）、１１…ＭＰＵ（制御部）、１６…ヘッドドライバー、１８…サーマルヘッド、１９…電源回路（サーマルヘッド用電源回路）、２１…シフトレジスタ、２２…ラッチレジスタ、２３…ＰチャネルＦＥＴ、２４…バイポーラトランジスター、２５…電力保持用電解コンデンサー（蓄電素子）、２６…放電用抵抗素子、２７…バイポーラトランジスター、２８…インバーター、３１…ロール紙、３４…プラテン、ＣＯ…遮断回路、ＤＣ…放電回路、ＧＮＤ…グランド、ＰＣ…電源制御信号、Ｒ１〜Ｒ３８４…発熱素子、ＶＨ…ヘッド電圧、Ｖ…外部電圧（外部電源）。
【図１】
2011005751.tif 000003
【図２】
2011005751.tif 000004
【図３】
2011005751.tif 000005
【図４】
2011005751.tif 000006